(57)【要約】      （修正有）【課題】複数の番組のタイマー予約録画を行なうことができる録画再生装置において、予約番組が重複してしまった時は個々の予約録画プログラムの録画終了のたびに録画終了処理を行なわず、前記重複が解消する最後の予約録画プログラムの終了時に録画終了処理を行なうことにより録画逃がしを減らすことを可能にする。【解決手段】予約録画を制御するマイコン部６０に配置した予約録画重複検出部６３で重複を検知して重複フラグＦを付与し、重複数カウント部６４で重複フラグＦが付与された予約録画プログラムの重複数ｎをカウントし、マーキング処理部６５で重複位置にマーキングして第２メモリ部７０に記憶させ、録画実行制御部６７が前記マーキングされた位置Ｔを後続する予約録画プログラムの開始位置と判断し、録画終了処理を最後の予約録画プログラムの終了時刻に実行することで、予約録画プログラムを即座に切り替える。【選択図】図１
2006166054.tif 000002
【特許請求の範囲】
【請求項１】
テレビ放送の受信信号を映像音声信号に変換するチューナーと、前記映像音声信号を録画可能なデジタル映像音声信号に変換する映像音声処理部と、前記映像音声処理部を制御すると共にタイマー予約録画動作を制御するマイコン部と、前記マイコン部における予約録画プログラムを記憶する該マイコン部内の第１メモリ部と、前記予約録画プログラムの制御情報を記憶する第２メモリ部と、前記デジタル映像音声信号を録画して記録する記録媒体を備えると共にユーザーによる指示を前記マイコン部に伝達するリモコンと、前記リモコンのキー操作により入力された指示信号を受光するリモコン受光部とを備え、前記記録媒体に録画を行う電子装置において、前記マイコン部には、前記リモコンから受光した指示信号を処理するキー入力処理部と、キー入力された予約録画プログラムを設定する予約設定部と、複数の予約録画プログラムにおいて録画時間が重複しているか否かを検出して判断し、重複フラグを付与する予約録画重複検出部と、前記予約録画プログラムの重複部分の数をカウントする重複数カウント部と、クロック回路を備えて現在時刻並びに少なくとも予約録画プログラムにおける録画開始時刻と録画終了時刻及び重複開始時刻と重複終了時刻とを監視する計時部と、前記重複フラグに対応して重複した予約録画プログラムの切り替え時刻をマーキングするマーキング処理部と、前記予約録画プログラムを前記マイコン部内の第１メモリ部に記憶させ、前記予約録画プログラムの制御情報である前記重複フラグと重複数及びマーキングを第２メモリ部に記憶させると共に前記計時部の時刻情報をもとに予約録画プログラムの実行制御を行なう録画実行制御部とを有しており、重複する前記予約録画プログラムにおいて録画を先行する予約録画プログラムの終了時に該予約録画プログラムの録画終了処理を行なわず、前記マーキング位置で後続する予約録画プログラムに連続して切り替えて録画を開始し、重複する最後の後続予約録画プログラムの録画終了時に前記重複した複数の予約録画プログラムの録画終了処理を行なうように前記録画実行制御部で制御を行なうことを特徴とするタイマー予約録画手段を備えた電子装置。
【請求項２】
前記重複する予約録画プログラムには、前記予約録画プログラムの所要時間に前記録画終了処理時間を付加することにより録画時間帯が重複することを含むことを特徴とする請求項１又は２記載のタイマー予約録画手段を備えた電子装置。
【発明の詳細な説明】
【技術分野】
【０００１】
本発明は、複数の番組の録画を予約することができる録画装置または録画再生装置などの電子装置、若しくは録画機能付ＤＶＤ装置を内蔵するテレビなどの電子装置において、予約番組が重複してしまった時でも録画の録画逃がしを減らすことを可能にするタイマー予約録画手段を備えた電子装置に関する。
【背景技術】
【０００２】
従来から、複数の番組の録画を予約することが可能な録画装置または録画再生装置においては、設定された予約録画プログラムの録画を実行すると録画を終了した直後に該録画したプログラム毎に録画終了処理を行なうことが一般的であり、例えば、予約録画の設定において先行して録画を開始する第１プログラムと後続する第２プログラムを設定した場合、第１プログラムと第２プログラムの一部が重複して第１プログラムの録画時間内に第２プログラムの開始時刻が設定される場合がある。若しくは図１０に示すように第１プログラムの録画終了時刻１０２と同時に第２プログラムの録画開始時刻１０１となった場合において、第１プログラムの終了後に第１プログラムの録画終了処理１０８を行なってから第２プログラムの録画が開始されるので、第２プログラムは本来の録画開始時刻１０１に対して第１プログラムの録画終了処理１０８の所要時間が経過した後に録画が開始されている。従って第１プログラムの録画終了処理１０８の所要時間は録画不可能部分となり、後続する第２プログラムの録画ができない部分１０６となり、図１０のように、見かけはスムーズに切り替わることができそうな同時刻で切り替わる２つの予約録画プログラム１００は録画終了処理部分１０８の時間が重複して録画ができなかった。
【０００３】
このような複数の番組を予約録画したときに発生する予約録画プログラムの欠落を防止する方法については、例えば従来技術として特許文献１には、複数の予約番組の録画時間帯が一部重なった場合、この重なっている時間帯の任意の時点に区切りを設け、この区切りを重複する予約番組のうち開始時刻の早い前の番組の録画終了時刻とすると共に、開始時刻の遅い後の番組の録画開始時刻とするといった方法が開示されている。
【０００４】
【特許文献１】特開２００３−１５７５９６号公報
【発明の開示】
【発明が解決しようとする課題】
【０００５】
本発明は、従来技術において、予約録画時は個々の予約録画プログラム１００が終了する度に録画終了処理を行なっており、録画終了処理部分１０８に要する概ね１０秒から２０秒間は第２プログラムの録画開始が送れてしまい、第２プログラムは先頭部分が欠けてしまうといった状況にあった。また、前記録画終了処理部分１０８は録画データを記録媒体に整理して保存するために不可欠の作業であり、この録画終了処理部分１０８の時間中は後続する第２プログラムの録画を開始できないといった状況から、先行する第１プログラムの後に後続する第２プログラムが例えば有料放送であるＰＰＶ（Ｐａｙ  Ｐｅｒ  Ｖｉｅｗ）であれば、たとえ１０秒から２０秒間でも予約録画の開始時刻が予約時刻より遅れてしまうとＰＰＶである第２プログラムを開始することができない状況となる。
【０００６】
本発明はこのような点を鑑みてなされたものであり、特にＤＶＤ録画装置又はＤＶＤ録画再生装置に複数の予約録画を行なうに際して、録画時間の重複する部分が生じても迅速に後続する新規番組に切り替えて録画を開始し、切り替え前の録画終了処理による新規番組録画の録画逃しを解消し、録画の途切れも無く、スムーズに録画チャンネルの切り替えを可能とすることによりユーザーの不快感を減らすことを可能とするタイマー予約録画手段を備えた電子装置を得るものである。
【課題を解決するための手段】
【０００７】
請求項１記載のタイマー予約録画手段を備えた電子装置は、テレビ放送の受信信号を映像音声信号に変換するチューナーと、前記映像音声信号を録画可能なデジタル映像音声信号に変換する映像音声処理部と、前記映像音声処理部を制御すると共にタイマー予約録画動作を制御するマイコン部と、前記マイコン部における予約録画プログラム情報を記憶する該マイコン部内の第１メモリ部と、前記予約録画プログラムの制御情報を記憶する第２メモリ部と、前記デジタル映像音声信号を録画して記録する記録媒体を備えると共にユーザーによる指示を前記マイコン部に伝達するリモコンと、前記リモコンのキー操作により入力された指示信号を受光するリモコン受光部とを備え、前記記録媒体に録画を行う電子装置において、前記マイコン部には、前記リモコンから受光した指示信号を処理するキー入力処理部と、キー入力された予約録画プログラムを設定する予約設定部と、複数の予約録画プログラムにおいて録画時間が重複しているか否かを検出して判断し、重複フラグを付与する予約録画重複検出部と、前記予約録画プログラムの重複部分の数をカウントする重複数カウント部と、クロック回路を備えて現在時刻並びに少なくとも予約録画プログラムにおける録画開始時刻と録画終了時刻及び重複開始時刻と重複終了時刻とを監視する計時部と、前記重複フラグに対応して重複した予約録画プログラムの切り替え時刻をマーキングするマーキング処理部と、前記予約録画プログラムを前記マイコン部内の第１メモリ部に記憶させ、前記予約録画プログラムの制御情報である前記重複フラグと重複数及びマーキングを第２メモリ部に記憶させると共に前記計時部の時刻情報をもとに予約録画プログラムの実行制御を行なう録画実行制御部とを有しており、重複する前記予約録画プログラムにおいて録画を先行する予約録画プログラムの終了時に該予約録画プログラムの録画終了処理を行なわず、前記マーキング位置で後続する予約録画プログラムに連続して切り替えて録画を開始し、重複する最後の後続予約録画プログラムの録画終了時に前記重複した複数の予約録画プログラムの録画終了処理を行なうように前記録画実行制御部で制御を行なうことを特徴とする。
【０００８】
請求項１の構成によれば、テレビ放送の受信信号を映像音声信号に変換するチューナーと、前記映像音声信号を録画可能なデジタル映像音声信号に変換する映像音声処理部と、前記映像音声処理部を制御すると共にタイマー予約録画動作を制御するマイコン部と、前記マイコン部における予約録画プログラム情報を記憶する該マイコン部内の第１メモリ部と、前記予約録画プログラムの制御情報を記憶する第２メモリ部と、前記デジタル映像音声信号を録画して記録する記録媒体を備えると共にユーザーによる指示を前記マイコン部に伝達するリモコンと、前記リモコンのキー操作により入力された指示信号を受光するリモコン受光部とを備え、前記記録媒体に録画を行う電子装置において、前記マイコン部に配置された、キー入力処理部が前記リモコンから受光した指示信号を処理し、予約設定部がキー入力された予約録画プログラムを設定し、前記複数の予約録画プログラムにおいて録画時間帯が重複しているか否かを予約録画重複検出部が検出して判断し、重複があれば重複フラグを付与し、前記重複数カウント部が前記予約録画プログラムの重複部分の数をカウントし、メモリに記憶する。前記計時部がクロック回路を備えて現在時刻並びに少なくとも予約録画プログラムにおける録画開始時刻と録画終了時刻及び重複開始時刻と重複終了時刻とを監視し、マーキング処理部が重複した予約録画プログラムの切り替え時刻をマーキングし、前記録画実行制御部が前記予約録画プログラムを前記マイコン部内の第１メモリ部に記憶させ、前記予約録画プログラムの制御情報である前記重複フラグと重複数及びマーキングを第２メモリ部に記憶させると共に前記計時部の時刻情報をもとに予約録画プログラムの実行制御を行なうことにより、前記複数の予約録画プログラムが重複してしまうことが生じても、重複する前記予約録画プログラムにおいて録画を先行する予約録画プログラムの終了時に該予約録画プログラムの録画終了処理を行なわず、前記マーキング位置で後続する予約録画プログラムに連続して切り替えて録画を開始し、重複する最後の後続予約録画プログラムの録画終了時に前記重複した複数の予約録画プログラムの録画終了処理を行なうように前記録画実行制御部で制御を行なうことができるので、前記重複する予約録画プログラムが切り替わるときに要する録画終了処理は後続の前記予約録画プログラムの録画終了時に実行、又は先送りすることが可能となり、前記録画終了処理時間分が後続の予約録画プログラムの録画開始時刻から欠けてしまうことを防止することができるので、ＤＶＤ録画装置又はＤＶＤ録画再生装置、及びこれらを内蔵したテレビなどの電子装置に複数の予約録画を行なうに際して、録画時間の重複する部分が生じても迅速に後続する新規番組に切り替えて録画を開始し、番組の切り替え時に必要な録画終了処理による録画逃しを解消することを可能とすることが出来る。
【０００９】
請求項２記載のタイマー予約録画手段を備えた電子装置は、請求項１又は２記載のタイマー予約録画手段を備えた電子装置において、前記重複する予約録画プログラムには、前記予約録画プログラムの所要時間に前記録画終了処理時間を付加することにより録画時間帯が重複することを含むことを特徴とする。
【００１０】
請求項２の構成によれば、前記重複する予約録画プログラムには、前記予約録画プログラムの所要時間に前記録画終了処理時間を付加することにより録画時間帯が重複することにより、見かけでは連続して切り替わると思われる複数の予約録画プログラムの録画終了時刻と録画開始時刻が同時となった場合においても、従来においては個々の予約録画プログラムの録画終了時に録画終了処理を行なう必要があったため、後続する予約録画プログラムの録画開始部分が欠けてしまうといった問題は、前記録画終了処理を先行して実行した予約録画プログラムの終了時ではなく、重複がなくなった最後の予約録画プログラムの録画終了時に纏めて録画終了処理を行うことができるので、ＤＶＤ録画装置又はＤＶＤ録画再生装置、及びこれらを内蔵したテレビなどの電子装置に複数の予約録画を行なうに際して、録画時間の重複する部分が生じても迅速に後続する新規番組に切り替えて録画を開始するので、切り替え前の録画終了処理による新規番組録画の録画逃しを解消し、録画の途切れも無く、スムーズに録画チャンネルの切り替えが可能なのでユーザーの不快感を減らすことが出来る。
【発明の効果】
【００１１】
請求項１の発明によれば、このタイマー予約録画手段を備えた電子装置には、テレビ放送の受信信号を映像音声信号に変換するチューナーと、前記映像音声信号を録画可能なデジタル映像音声信号に変換する映像音声処理部と、前記映像音声処理部を制御すると共にタイマー予約録画動作を制御するマイコン部と、前記マイコン部における予約録画プログラム情報を記憶する該マイコン部内の第１メモリ部と、前記予約録画プログラムの制御情報を記憶する第２メモリ部と、前記デジタル映像音声信号を録画して記録する記録媒体を備えると共にユーザーによる指示を前記マイコン部に伝達するリモコンと、前記リモコンのキー操作により入力された指示信号を受光するリモコン受光部とを備え、前記記録媒体に録画を行う電子装置において、前記マイコン部に配置された、キー入力処理部が前記リモコンから受光した指示信号を処理し、予約設定部がキー入力された予約録画プログラムを設定し、前記複数の予約録画プログラムにおいて録画時間帯が重複しているか否かを予約録画重複検出部が検出して判断後、重複フラグを付与し、前記重複数カウント部が前記予約録画プログラムの重複部分の数をカウントし、前記計時部がクロック回路を備えて現在時刻並びに少なくとも予約録画プログラムにおける録画開始時刻と録画終了時刻及び重複開始時刻と重複終了時刻とを監視し、マーキング処理部が重複した予約録画プログラムの切り替え時刻をマーキングし、前記録画実行制御部が前記予約録画プログラムを前記マイコン部内の第１メモリ部に記憶させ、前記予約録画プログラムの制御情報である前記重複フラグと重複数及びマーキングを第２メモリ部に記憶させると共に前記計時部の時刻情報をもとに予約録画プログラムの実行制御を行なうことにより、前記複数の予約録画プログラムが重複してしまうことが生じても、重複する前記予約録画プログラムにおいて録画を先行する予約録画プログラムの終了時に該予約録画プログラムの録画終了処理を行なわず、前記マーキング位置で後続する予約録画プログラムに連続して切り替えて録画を開始し、重複する最後の後続予約録画プログラムの録画終了時に前記重複した複数の予約録画プログラムの録画終了処理を行なうように前記録画実行制御部で制御を行なうことができるので、前記重複する予約録画プログラムが切り替わるときに要する録画終了処理は後続の前記予約録画プログラムの録画終了時に実行又は先送りすることが可能となり、前記録画終了処理時間分が後続の予約録画プログラムの録画開始時刻から欠けてしまうことを防止することができるので、ＤＶＤ録画装置又はＤＶＤ録画再生装置、及びこれらを内蔵したテレビなどの電子装置に複数の予約録画を行なうに際して、録画時間の重複する部分が生じても迅速に後続する新規番組に切り替えて録画を開始し、切り替え前の録画終了処理による新規番組の録画逃しを解消することを可能とすることが出来るので、先行する予約録画プログラムの後に後続する予約録画プログラムが例えば有料放送であるＰＰＶであれば、たとえ１０秒から２０秒間でも予約録画の開始時刻が予約時刻より遅れてしまうとＰＰＶである予約録画プログラムを開始することができない状況となるといった問題は回避することが出来る。
【００１２】
請求項２の発明によれば、前記重複する予約録画プログラムには、前記予約録画プログラムの所要時間に前記録画終了処理時間を付加することにより録画時間帯が重複することにより、見かけでは連続して切り替わると思われる複数の予約録画プログラムの録画終了時刻と録画開始時刻が同時となった場合においても、従来においては個々の予約録画プログラムの録画終了時に録画終了処理を行なう必要があったため、後続する予約録画プログラムの録画開始部分が欠けてしまうといった問題は、前記録画終了処理を先送りして重複がなくなった最後の予約録画プログラムの録画終了時に纏めて録画終了処理を行うことができるので、ＤＶＤ録画装置又はＤＶＤ録画再生装置、及びこれらを内蔵したテレビなどの電子装置に複数の予約録画を行なうに際して、録画時間の重複する部分が生じても迅速に後続する新規番組に切り替えて録画を開始し、切り替え前の録画終了処理による新規番組録画の録画逃しを解消することを可能とすることが出来るので、先行する予約録画プログラムの後に後続する予約録画プログラムが例えば有料放送であるＰＰＶであれば、たとえ１０秒から２０秒間でも予約録画の開始時刻が予約時刻より遅れてしまうとＰＰＶである予約録画プログラムを開始することができない状況となるといった問題は回避することが出来る。
【発明を実施するための最良の形態】
【００１３】
以上のように、本発明は、テレビ放送番組を予約録画するＤＶＤ装置などの電子装置、若しくは録画機能付ＤＶＤ装置を内蔵するテレビなどの電子装置において、複数の予約録画プログラムが重複することによる録画逃しを減らすものであるが、以下の実施例においては、前記電子装置はＤＶＤ録画再生装置を内蔵したテレビにおける実施例について説明する。
【００１４】
以下、本発明を実施するための最良の形態としての実施例を図１〜図９により以下に説明する。図１から図７は第一実施例を示す説明図であり、図８から図９は第二実施例を示す説明図である。もちろん、本発明は、その発明の趣旨に反さない範囲で、実施例において説明した以外のものに対しても容易に適用可能なことは説明を要するまでもない。
【実施例１】
【００１５】
図１は本発明における第一実施例を示すＤＶＤ録画再生装置を内蔵したテレビにおけるタイマー予約録画手段の概略の構成を示すブロック説明図である。
【００１６】
図１に示す電子装置であるＤＶＤ録画再生装置を内蔵したテレビ１０にはアンテナ２０で受信したテレビ放送の受信信号を映像音声信号に変換するチューナー３０と、前記映像音声信号を録画可能なデジタル映像音声信号に変換する映像音声処理部４０と、前記映像音声処理部４０を制御すると共にタイマー予約録画動作を制御するマイコン部６０と、前記マイコン部６０における予約録画プログラムを記憶する該マイコン部６０内のＲＡＭ（Ｒａｎｄｏｍ  Ａｃｃｅｓｓ  Ｍｅｍｏｒｙ）と呼ばれる第１メモリ部６８と、前記予約録画プログラムの制御情報を記憶する第２メモリ部７０と、前記デジタル映像音声信号を録画して記録する記録媒体５０を備えている。一方、ユーザーによる指示を前記マイコン部６０に伝達するリモコン９０を備え、前記記録媒体５０に録画を行うものである。また、前記ＤＶＤ録画再生装置を内蔵したテレビ１０には前記リモコン９０の操作によりキー入力された指示信号を受光するリモコン受光部８０が備えられており、前記マイコン部６０には、受光した指示信号を処理するキー入力処理部６１と、前記キー入力された予約録画プログラムを設定する予約設定部６２と、予約された複数の予約録画プログラムにおいて録画時間が重複しているか否かを検出し重複しているときは重複録画予約と判断する予約録画重複検出部６３と、前記予約録画プログラムの重複部分の数をカウントする重複数カウント部６４と、クロック回路を備えて現在時刻並びに少なくとも予約録画プログラムにおける録画開始時刻と録画終了時刻と重複した録画時刻とを監視する計時部６６と、前記重複した予約録画プログラムの切り替え時刻をマーキングするマーキング処理部６５と、前記予約録画プログラムを前記マイコン部６０内の第１メモリ部（Ｒａｎｄｏｍ  Ａｃｃｅｓｓ  Ｍｅｍｏｒｙ）６８に記憶させ、前記予約録画プログラムの制御情報である前記重複フラグと重複数及びマーキングを第２メモリ部７０に記憶させると共に前記計時部６６の時刻情報をもとに予約録画プログラムの実行制御を行なう録画実行制御部６７とが配置されており、前記録画実行制御部６７により重複した前記予約録画プログラムにおいて一つの録画として録画終了処理を行なう、又は、先行の予約録画プログラムの終了時に該予約録画プログラムの録画終了処理を行なわず、前記マーキング位置で連続して後続する予約録画プログラムに切り替えて録画を開始し、前記重複した後続の予約録画プログラムの録画終了時に前記先行する予約録画プログラムと後続する予約録画プログラムの録画終了処理を行なうように制御を行なうことを可能としている。
【００１７】
続いて図２は本発明におけるＤＶＤ録画再生装置を内蔵したテレビの外観を示す斜視説明図である。
【００１８】
図２において、１０は本発明における電子装置であるＤＶＤ録画再生装置を内蔵したテレビであり、図２の中央には表示部１１が配置され、右側面には記録媒体５０が挿脱可能に格納されることを示している。また、前面の下側にはリモコン受光部８０が配置されており、これと向かい合ってリモコン９０が配置されており、ユーザーによりリモコン９０の図示しない操作キーで指示された予約録画プログラムは前記リモコン受光部８０で受信されて前記ＤＶＤ録画再生装置を内蔵したテレビ１０に内蔵された図示しないＤＶＤ録画再生装置を制御することができる。
【００１９】
次に、図３は本発明において、２つの予約録画プログラムが重複したときは、先行する予約録画プログラムを終了したときにその録画終了処理を行なわず、重複した２つの予約録画プログラムを終了したときに纏めて録画終了処理を行なう方法について説明するタイムチャート説明図である。
【００２０】
図３（ａ）は録画時間帯が重なった場合を示しており、図１に示す録画実行制御部６７により予約録画プログラム１００が重複した第１プログラムと第２プログラムにおいて、一つの録画として録画修了処理１０８を行なう、又は、前記先行する第１プログラムの終了時刻１０２に該第１プログラムの録画終了処理を行なわず、連続して後続する第２プログラムに切り替えて、設定された録画開始時刻１０１よりプログラム重複部分１０４だけ遅れた実際の録画開始時刻１０３から前記第２プログラムの録画を開始し、前記後続の第２プログラムの録画終了時刻１０２に前記先行する第１プログラムと後続する第２プログラムの録画終了処理１０８を行なうように制御されている。従って、第１プログラムの録画終了時刻１０２に続く破線部分１０９は録画終了処理を実行しない、又は、先送りした部分となる。また、図３（ｂ）は第１プログラムの録画終了時刻１０２と第２プログラムの録画開始時刻１０１が同時刻の場合を示しており、図１に示す録画実行制御部６７により、第１プログラムの録画終了処理を行なっていては第２プログラムの録画開始時刻１０１が遅れてしまうため、第１プログラムと第２プログラムの録画をまとめて、一つの録画として録画終了処理１０８を行なう、又は、前記先行する第１プログラムの終了時刻１０２から連続して後続する第２プログラムに切り替えることにより、第２プログラムは設定された録画開始時刻１０１から録画を開始し、第２プログラムの録画終了時刻１０２から前記先行する第１プログラムと後続する第２プログラムの録画終了処理１０８を行なうように制御されている。従って、破線で示す第１プログラムの録画終了処理部分は録画終了処理を実行しない、又は、先送りした部分１０９となる。また、図１に示す予約録画重複検出部６３は第１プログラムから第２プログラムに前記同時刻で切り替わる場合は録画終了処理に要する時間をプログラム重複部と同様に重複部としてカウントするように制御されている。
【００２１】
続いて図４は、本発明による予約録画プログラム例を示すタイムチャート説明図であり、図４（ａ）は予約録画プログラムが１つだけの場合であり、図４（ｂ）は複数の予約録画プログラムが録画時間帯において重複する状態について示している。
【００２２】
図４（ａ）に示す予約録画プログラム１００は最初に録画予約を設定した第１プログラムであり録画開始時刻１０１が１０時００分で録画終了時刻１０２は１１時００分であり、６０分間の録画予約として設定されている。第１プログラムの他に予約録画プログラムが設定されていないので重複することはない。更に詳細にいえば１１時００分で録画を終了した後に録画終了処理部分１０８の時間が付加されており、他に重複する予約録画プログラムが無いので第１プログラムの録画終了時刻１０２には録画終了処理１０８が行なわれる。
【００２３】
次に、図４（ｂ）には前記第１プログラムを設定した後に、複数の予約録画プログラム１００が順次設定された状態を示しており、録画開始時刻順でいえば最初に設定を終えた前記第１プログラムに後続して３番目に録画設定し、録画順が２番目となった第３プログラムの録画開始時刻１０１が１０時５０分で録画終了時刻１０２は１２時００分と設定されている。更に、２番目に録画設定し、録画順が３番目となった第２プログラムが１２時００分から１３時００分と設定され、最後に設定した第４プログラムの録画開始時刻１０１が１３時３０分で録画終了時刻１０２が１４時３０分と設定されている。録画開始時刻順に表せば第１プログラム、第３プログラム、第２プログラム、第４プログラムとなるが、図４（ｂ）では予約順に第１プログラム、第２プログラム、第３プログラム、第４プログラムと表している。
【００２４】
図４（ｂ）において録画時間帯が重複する第１プログラムと第３プログラムとにおいては、第１プログラムの録画終了時刻１０２を待たずに第３プログラムの録画開始時刻１０１が設定されており、第３プログラムの録画開始時刻１０１である１０時５０分から第１プログラムの録画終了時刻１０２である１１時００分までの１０分間がプログラム重複部分１０４となり、前記第３プログラムは録画開始時刻１０１の１０時５０分から１０分間は録画できない部分１０６となる。また、図３（ｂ）は予約設定の段階を示しており、本発明により重複する予約録画プログラム１００において先行する第１プログラムの録画終了処理を省き、第１プログラムに連続して後続する第２プログラムの終了処理と一緒に行なうように破線部分１０９の録画終了処理を実行しない、又は、先送りしたことを示しており、第１プログラムの録画終了時刻１０２には概ね１０秒から２０秒を要する録画終了処理が先送りされた部分１０９を破線で示している。
【００２５】
次に、第３プログラムと第２プログラムについて説明する。第３プログラムが１２時００分に終了すると同時に第２プログラムが１２時００分から録画を開始する予定でありプログラム重複部分１０４は見かけ上は無いが、前述のように重複する予約録画プログラム１００において先行する第３プログラムの録画終了処理を省き、後続する第２プログラムの録画終了時刻１０２から録画終了処理を行なうために実行しなかった、又は先送りした部分１０９として破線で示してある。この先送りした録画終了処理部分１０9は概ね１０秒から２０秒間で、従来技術において録画ができない部分であった。
【００２６】
続いて、録画順にもとづき第２プログラムと第４プログラムについて説明する。第２プログラムの録画終了時刻１０２は１３時００分で、第４プログラムの録画開始時刻１０１は１３時３０分であり、前記第２プログラムの録画終了時刻１０２に概ね１０秒から２０秒を要する録画終了処理時間を加えても第４プログラムの録画開始時刻１０１と重複することは無い。従って第２プログラムの録画終了時１０２には、第１プログラムと第２プログラムと第３プログラムの録画をまとめて一つの録画ファイルとして録画終了処理を行なう、又は、前述の第１プログラムと第３プログラムで先送りされた録画終了処理を含め、纏めて録画終了処理を行なう時間帯として録画終了処理部分１０８が付加されている。また、第４プログラムの録画終了時刻１０２においては他の予約録画プログラムが設定されておらず第４プログラムの録画終了処理を行なう録画終了処理部分１０８となる。
【００２７】
続いて図５及び図６は、本発明においてけるタイマー録画設定時の動作を示すフローチャート説明図であり、図７はタイマー録画終了時の処理における動作を示すフローチャート説明図である。
【００２８】
図５において、Ｔ−１で図１に示すリモコン９０操作によりタイマー予約録画の開始が指示されると、図１に示す予約設定部６２により図示しない予約録画設定のメニュー画面をテレビ１０の表示部１１に表示させる。続いてユーザーが前記リモコン９０の図示しない操作キーにより前記メニュー画面に表示された録画開始時刻や終了時刻、録画チャンネル、記録メディア、録画モードなどをメニュー画面から選択して設定を行なう。予約設定された前記予約録画プログラムは前記予約設定部６２により、図５のＴ−２に示す予約番号が前記図４（ｂ）に示した第１プログラムから第４プログラムまでに、予約設定順にａ、ｂ、ｃ、ｄと付与されて図１に示すマイコン部６０内の第１メモリ部６８に記憶される。
【００２９】
次に、前記予約番号が付与された予約録画プログラムについて、前述の図４に示す予約録画プログラムのタイムチャートと対比して説明する。図４（ａ）に示す前記第１プログラムに付与された予約番号ａの予約録画プログラム１００は録画開始時刻１０１が１０時００分で録画終了時刻１０２は１１時００分であり、６０分間の録画予約として設定されている。予約番号ａの第１プログラムは他に予約録画プログラム１００が設定されていないので図１に示す予約録画重複検出部６３によりＴ−３のプログラム数をカウントし、他の設定済予約録画プログラムがないので、Ｔ−４にてｍ＝０となり重複部分はなしとしてＴ−１１に進み、予約番号ａの重複フラグＦａは初期値の０のままＦａ＝０となる。
【００３０】
次に、図４（ｂ）のように予約番号ａが付与された第１プログラムが図１に示す予約設定部６２により設定された後に、前記第２プログラムを録画予約して予約番号のｂが設定され、続いて予約番号ｃ、予約番号ｄと複数の番組が順次予約録画プログラムとして設定されると、図５に示すＴ−３により、新規の録画予約設定時、既に設定済みの予約録画プログラム数ｍをカウントしメモリに記憶する。そしてＴ−４にてその予約録画プログラム数ｍにおいて、ｍ>０で「ＹＥＳ」ならば、既にいくつかの予約録画プログラムがあるとしてその重複を検出するために図６に示すＴ−５に進み、ｍ>０で「ＮＯ」ならば、予約録画プログラムは現在設定している１つと判断してＴ−１１へ進み予約設定終了後、録画開始時刻まで待機する。図６に示すＴ−５により、これら予約録画プログラムが設定されるたびに、設定済みの予約録画プログラムの録画時間帯と新規に録画予約の設定を行う前記予約録画プログラムが重複しているか否かが、図１に示す前記予約録画重複検出部６３により検出され、重複した予約録画プログラムの中で先行して録画される予約録画プログラムの予約番号を抽出し、その予約番号に図６に示す重複の位置によってＴ−５、もしくはＴ−６で「ＹＥＳ」と判断されて各重複フラグをＯＮする。さらに、１つの予約録画プログラムにおいても重複部分が複数存在する場合があるので、図１に示す重複数カウント部６４により前記重複フラグを付与された予約録画プログラムにおけるプログラム重複数ｎを算出する。この算出式はｎ＝（ｎ）+αであり、（ｎ）は予約録画を実行する前の段階におけるプログラム重複数を示しており、αは新たに予約録画を設定したことにより増えた重複箇所の数を示している。図４（ａ）においては、予約番号ａの第１プログラムを録画予約する段階において予約録画プログラムは無く、予約録画プログラムにおけるプログラム重複数ｎ＝０であった。そこに予約番号ａの第１プログラムの録画予約を設定してもｎ＝（０）＋０＝０となる。図４（ｂ）においては、予約番号ａの第１プログラムと予約番号ｃの第３プログラムが重複し、予約番号ｃの第３プログラムと予約番号ｂの第２プログラムが重複している。しかし、予約番号ｂの第２プログラムと予約番号ｄの第４プログラムは重複していない。従って、重複する予約録画プログラム間にあって先行する予約録画プログラムに重複フラグが付与されるので、予約番号ａの第１プログラムと予約番号ｃの第３プログラムに重複フラグがＯＮの状態であり、この状態における予約録画プログラムのプログラム重複数ｎはｎ＝（ｎ）+α＝０＋２＝２となる。上記重複数の算出は主に実施例２で行なわれる。また、予約番号ｂの第２プログラムと予約番号ｄの第４プログラムには予約録画重複検出部６３で録画終了時に後続して録画すべき予約録画プログラムが検出されず、図６に示すＴ−５、Ｔ−６ともに「ＮＯ」と判断され、付与されている重複フラグは初期値であるＯＦＦの０であるＦｂ＝０、Ｆｄ＝０となり、設定済予約録画プログラムと現在設定した予約録画プログラムをひとつずつ比較して行き、全ての設定済予約録画プログラムとの比較検出が終了したらＴ−１１に示すようにタイマー予約録画の設定処理は終了し、前��設定された予約録画プログラムの録画開始時刻まで待機することとなる。
【００３１】
図４（ｂ）において予約録画プログラムが複数設定されている中で、録画時間帯が重複した予約番号ａの第１プログラムと予約番号ｃの第３プログラムにおいて、図６に示すＴ−５により重複部分の確認と重複フラグＯＮ／ＯＦＦが付与される予約録画プログラム番号を決定し、既に設定されている予約録画プログラムの録画が先行し、新規に設定した予約録画プログラムが後続する場合で録画時間帯の重複か、録画終了時刻と開始時刻が同時であるかで、どのように予約録画プログラムや終了処理時刻が重複しているかの重複位置が次のように確認される。まず、既設予約録画プログラムの録画終了時刻より後続する新規設定予約録画プログラムの終了時刻が遅く、後続する新規設定予約録画プログラムの録画開始時刻が既設予約録画プログラムの開始時刻より遅く、終了時刻より早ければ「ＹＥＳ」、いずれかが該当しなければ「ＮＯ」。又は前記終了時刻と前記開始時刻が同時刻であれば「ＹＥＳ」、同時刻でなければ「ＮＯ」となり、何れかが「ＹＥＳ」であればＴ−８により既設予約録画プログラムの重複フラグをＯＮ（１）とし、何れも「ＮＯ」であればＴ−６により判断されることとなる。
【００３２】
前記予約番号ａの第１プログラムと予約番号ｃの第３プログラムは前記Ｔ−５にもとづくと次のように判断される。予約番号ａの第１プログラムは先行して録画される既設定予約録画プログラムでありこの録画終了時刻より、後続する予約番号ｃの第３プログラムの終了時刻が遅く、予約番号ｃの第３プログラム開始時刻が、予約番号ａの第１プログラムの開始時刻より遅く、終了時刻より早いので「ＹＥＳ」と判断されてＴ−８により既設定予約録画プログラムの重複フラグＦａがＯＮ（１）となる。また、予約番号ｃの第３プログラムは後続する予約番号ｂの第２プログラムより先に録画を開始するのでＴ−５においては「ＮＯ」と判断されてＴ−６の判断によることとなる。
【００３３】
前記Ｔ−５で「ＮＯ」と判断された場合において、新規に設定した予約録画プログラムの録画が先行し、既に設定されている予約録画プログラムの録画が後続する場合で録画時間帯の重複か、録画終了時刻と開始時刻が同時であるかで、どのように予約録画プログラムや終了処理時刻が重複しているかの重複位置が次のように確認される。まず、新規設定された予約録画プログラムの録画終了時刻より後続する既設の予約録画プログラムの終了時刻が遅く、後続する既設予約録画プログラムの開始時刻が、新規設定予約録画プログラムの開始時刻より遅く、終了時刻より早ければ「ＹＥＳ」、いずれかが該当しなければ「ＮＯ」。又は前記終了時刻と前記開始時刻が同時刻であれば「ＹＥＳ」、同時刻でなければ「ＮＯ」となり、何れかが「ＹＥＳ」であればＴ−９により新規設定予約録画プログラムの重複フラグをＯＮ（１）にする。何れも「ＮＯ」であればＴ−１０により新規の重複フラグはＯＦＦ（０）となる。
【００３４】
前記予約番号ｃの第３プログラムは前記Ｔ−６により次のように判断される。予約番号ｃの第３プログラムは、既設予約録画プログラムである予約番号ｂの第２プログラムより先行して録画される新規予約録画プログラムであり、予約番号ｃの第３プログラムの録画終了時刻と、後続する予約番号ｂの第２プログラムの開始時刻が同時刻であるので「ＹＥＳ」と判断されてＴ−９により予約番号ｃの第３プログラムの重複フラグＦｃ＝ＯＮ（１）となる。ここで若し、他と重複しない予約番号ｄの第４プログラムが確認されたとすれば、第４プログラムはＴ−５とＴ−６においては「ＮＯ」となり、重複は無いとしてＴ−１０により重複フラグＦｄ＝ＯＦＦ（０）となる。
【００３５】
続いて、図６に示すＴ−１１では録画予約を設定した開始時刻まで待機するが、現在設定した予約録画プログラムと既に設定されている予約録画プログラムの全てと比較後、予約録画待機状態となる。
【００３６】
次に、前記タイマー予約された複数の予約録画プログラムを録画する段階について説明する。前記図４（ｂ）における予約番号ａの第１プログラムが１０時００分から録画を開始すると、予約録画プログラム設定時に予約録画重複検出部６３によってＯＮされた重複フラグとその重複数カウント部６４によって重複部分をカウントしたカウント数をメモリより読み込み、判断し、図１に示す計時部６６により現在時刻と録画時刻は監視され、１１時００分で第１プログラムの録画を終了する時点で連続して次の予約録画プログラムを実行するべき重複した予約録画プログラムとして、図１に示す録画実行制御部６７が前記終了する第１プログラムから録画を停止させず継続したまま、後続の予約録画プログラムの録画モードや録画チャンネルに切り替えて録画を続行する。これにより、第１プログラムの終了後は録画終了処理を行なわず、連続して後続する予約番号ｃの第３プログラムの録画を開始する。このときに、第３プログラムが第１プログラムとは別なチャンネルの録画であれば直ぐにチャンネルを切り替えて録画を行ない、図１に示すマーキング処理部６５が第３プログラムの開始位置Ｔｓをマーキングし、前記マーキング位置と該位置のマーキング個数Ｓ＝（Ｓ）＋１＝０＋１＝１の両方を図１に示す第２メモリ部７０、もしくは記録媒体５０に記録する。このときの（Ｓ）はマーキングがなされる前の段階におけるマーキング個数である。
【００３７】
次に、前記予約録画プログラムを録画する録画データの書き込み方法について説明する。本実施例においては、録画開始位置から録画データをバッファに溜めていき、所定のデータ量が溜まった時点でそれを１セル分として随時ＤＶＤ記録媒体５０に書き込んでゆくセル単位書き込み法としたが、これとは別に、録画データをリアルタイムにＤＶＤ記録媒体に書き込んでゆく方法でも可能である。
【００３８】
前述のようにして、予め連続して重複した予約録画プログラムの録画予約がなされていた図４（ｂ）に示す予約番号ａの第１プログラムの録画が図７のＦ−１により終了すると、Ｆ−２により録画中のプログラムの重複フラグは「ＯＦＦ」であるか否かを確認する。図４（ｂ）においては後続する予約番号ｃの第３プログラムがあり「ＮＯ」であるのでＦ−３により予約録画重複検出部で次の第３プログラムが検出され、Ｆ−４により第３プログラムが別チャンネルであるか否かが確認され、別チャンネルであればＦ−５によりチャンネルは切り替えられる。次に、図１に示す録画実行制御部６７に制御されて前記マーキングされた第１プログラムに後続する第３プログラムの録画開始位置Ｔｓを録画の切り替わり位置として特定させておき、Ｆ−６により重複録画の終了後に該特定されたマーキング数Ｓ個の録画開始位置Ｔｓである録画の切り替わり位置を瞬時に呼び出すことができるチャプター（Ｃｈａｐｔｅｒ）を作成することを可能とする。また、セル単位書き込みの場合、この時点でバッファに溜まっていた第１プログラムの録画データが記録媒体５０に書き込まれる。続いて、前記チャプターを切り替えてＦ−７により後続の第３プログラムの録画を開始する。このとき、重複した３つの予約録画プログラム１００の録画終了時に後述するＮａｖｉｇａｔｉｏｎ  ＤａｔａであるＶＴＳＩ（Ｖｉｄｅｏ  Ｔｉｔｌｅ  Ｓｅｔ  Ｉｎｆｏｍａｔｉｏｎ）を作成するために、チャプター切り替え後の録画開始地点、即ち第３プログラムの開始位置である前記Ｔｓを第２メモリ部７０が記憶しておく。続いて、Ｆ−８により第３プログラムが終了する時点でＦ−２に戻り、録画中の第３プログラムの重複フラグは「ＯＦＦ」か否かが確認され、後続する予約番号ｂの第２プログラムがＦ−３で検出され前述のようにＦ−４からＦ−８までの動作が行われ、Ｆ−２に戻る。第１プログラム、第２プログラム、第３プログラムと重複した３つの予約録画プログラムの録画を終了した時点で、図１に示す録画実行制御部６７に制御されて録画終了処理を行なう。
【００３９】
続いて、録画終了処理を行なう概要について説明する。前記マーキングされた第３プログラムの開始位置Ｔｓ−１と、後続する第２プログラムの開始位置Ｔｓを録画の切り替わり位置として特定させておき、重複録画の終了後に該特定されたマーキング数Ｓ個の録画開始位置Ｔｓである録画の切り替わり位置を瞬時に呼び出すことができる前記チャプターを作成する。前記第２メモリ部７０に記憶させていたチャプター切り替え後の録画開始位置Ｔｓを参考にして、ＤＶＤ-Ｖｉｄｅｏ形式によるＶｉｄｅｏフォーマットに基づき、ＤＶＤ記録媒体にＴｉｔｌｅ情報を保持する前記ＶＴＳＩに書き込む。また、前記Ｖｉｄｅｏフォーマットとは別に、ＶＲフォーマットの場合も同様に、チャプターが切り替わり録画を開始した予約録画プログラムの録画開始位置Ｔｓを記憶しておき、管理情報を記録媒体５０上のＶＲ  ＭＡＮＧＲ．ＩＦＯファイルに書き込み、前記記録媒体上で前記録画データの後にあるＯｖｅｒ  ｒｕｎ  ｐｒｏｔｅｃｔｉｏｎ  ａｒｅａにＬＬＡ（Ｌｉｎｋｉｎｇ  Ｌｏｓｓ  Ａｒｅａ）とＢｏｄｅｒ  Ｏｕｔを作成して録画データ範囲がどこまでなのかを書き込み、録画終了処理を終わる。因みに、前記ＤＶＤ装置に備えられ、図１に示す記録媒体５０に録画データの読み書きを行なう図示しないＰｉｃｋｕｐがオーバーランすることを防止するために、前記録画データの後にあるＯｖｅｒ  ｒｕｎ  ｐｒｏｔｅｃｔｉｏｎ  ａｒｅａにＬＬＡ（Ｌｉｎｋｉｎｇ  Ｌｏｓｓ  Ａｒｅａ）とＢｏｄｅｒ  Ｏｕｔを作成して録画データ範囲を書き込んでいる。また、前記録画の切り替わり位置はチャプターでなく、タイトル分割によってその位置を特定させる方法を用いることができる。また、前述の予約番号ｂの第２プログラムが終了した時点では、連続し後続する予約録画プログラムが無いため、Ｆ−２では重複フラグは「ＯＦＦ」か否かの確認で「ＹＥＳ」となりＦ−９によりマーキング個数ＳはＳ>０か否かが確認される。ここでは、これまでに第３プログラムと第２プログラムの録画開始位置がマーキングされており、マーキング個数Ｓ＝２であることから「ＹＥＳ」となりＦ−１０によりＶＲモードであるか否かが確認される。ＶＲモードであれば「ＹＥＳ」となりＦ−１１によりチャプターが切り替わる地点でＴＩＴＬＥ分割が行なわれ、前記マーキング個数はＳ＝２−１＝１となる。続いてＦ−９に戻りＳ>０か否かが確認され、前記Ｓ＝１により「ＹＥＳ」となりＦ−１０で確認され、Ｆ−１１でＶＲモードであれば第２プログラムのＴＩＴＬＥ分割がなされてＦ−１２によりＳ＝１−１＝０となる。再びＦ−９に戻ると既にＳ>０に対してＳ＝０であり「ＮＯ」となりＦ−１３により録画終了処理が行なわれ、Ｆ−１４により図１に示す第２メモリ部７０に記憶されたＳとＴｓは消去されてクリアとなる。
【実施例２】
【００４０】
本発明におけるタイマー録画の第二実施例について図８及び図９を参照しながら説明する。
【００４１】
図８はタイマー録画設定時の処理における動作を示す第二実施例を示しており、Ｓ−１では図１に示すリモコン９０によりタイマー予約録画の設定開始が指示されると、図１に示す予約設定部６２により図示しない予約録画設定のメニュー画面をテレビ１０の表示部１１に表示させる。続いてＳ−２にてユーザーが前記リモコン９０の操作により前記メニュー画面に表示された録画開始時刻や終了時刻、録画チャンネル、記録メディア、録画モードなどをメニュー画面から選択して設定を行なう。前記図４（ｂ）に示した録画開始時刻が１０時００分で録画終了時刻が１１時００分である第１プログラムは既に予約録画プログラムとして設定してあり、Ｓ−３により設定された予約録画プログラムの数が図１に示す予約設定部６２により確認されて前記予約録画プログラムは１つであると「ＹＥＳ」となり、Ｓ−４でプログラム重複数がｎ＝０と判断され、Ｓ−７でタイマー録画の設定は終了する。続いて録画開始時刻が１２時００分で録画終了時刻が１３時００分の第２プログラムが予約設定されと前記Ｓ−３により設定された予約録画プログラムの数は１つか否かが確認される。前記第２プログラムが追加設定された結果、予約録画プログラムの数は２つとなり「ＮＯ」となる。するとＳ−５により図１に示す予約録画重複検出部６３は前記追加予約された第２プログラムの録画開始時刻が既に設定済みの第１プログラムの録画時間内となり重複していないか、又は、第１プログラムの開始時刻が第２プログラムの録画時間内となっていないか、又は、どちらか一方の予約録画プログラムの開始時刻と、もう一方の予約録画プログラムの終了時刻が同時刻になっていないかを判断する。第２プログラムは第１プログラムとは重複していないので「ＮＯ」となりＳ−７でタイマー録画の設定は終了する。その後、図４（ｂ）に示す第３プログラムが予約設定されると、Ｓ−３により設定された予約録画プログラムの数は１つか否かが再び確認される。前記第３プログラムが追加設定された結果、予約録画プログラムの数は３つとなり「ＮＯ」となる。するとＳ−５により図１に示す予約録画重複検出部６３は前記追加予約された第３プログラムの録画時間が既に設定済みの第１プログラムと第２プログラムの録画時間内となり重複していないかを判断する。因みに図８におけるＳ−５による確認方法は前述の図６によるＴ−５とＴ−６と同様の確認動作を行っていることを簡略化して表記してあり複数の予約録画プログラムの個々に録画開始時刻と録画終了時刻、或いは録画終了時刻と録画開始時刻を比較し重複するか否かを確認している。ここでは第３プログラムの開始時刻は第１プログラムと重複し、第３プログラムの録画終了時刻は第２プログラムと重複していることが判断され「ＹＥＳ」となる。次にＳ−６により重複している予約録画プログラムの数は２つの予約録画プログラムが１箇所で重複している場合はｎ＝（ｎ）＋αの算出式によりｎ＝（０）+１＝１であり、３つの予約録画プログラムが２箇所で重複していればｎ＝（１）＋１＝２となる。前記３つの予約録画プログラムが２箇所で重複していると判断されて図１に示す第２メモリ部７０に記憶されると共に、Ｓ−７により録画開始時刻まで待機する。
【００４２】
図９はタイマー録画終了時の処理における動作を示す第二実施例であり、図４（ｂ）において、第１プログラムから第３プログラムまで設定されていた場合、予約録画は録画開始順である第１プログラムの次に第３プログラムが録画され、続いて第２プログラムが録画される。前記第１プログラムの録画終了時Ｅ−１に、Ｅ−２により全予約録画プログラムのうち予約録画プログラム同士が重複する箇所の数が０個以上か否かをｎ>０の判定式により図１に示す録画実行制御部６７が確認する。第１プログラムの録画は第３プログラムの録画開始時刻と重複しており、又、第３プログラムの録画終了時刻は、第２プログラムの録画開始時刻とも重複しており、ｎ＝２であり「ＹＥＳ」となり、Ｅ−３により現在の時刻が後続する第３プログラムの録画設定時間内か否かが図１に示す計時部６６の現在時刻情報とタイマー予約時刻との比較確認に基づき図１に示す予約録画重複検出部６３により判断される。前記第１プログラムの録画終了時刻は前述の通り第３プログラムと重複しているので「ＹＥＳ」と判定される。続いて、Ｅ−４ではチャンネル切り替えをする必要があるか否かが判断される。前記第３プログラムは第１プログラムの録画が終了する前に別チャンネルの番組の予約録画プログラム開始時刻が設定されているために重複したものであり、チャンネル切換えを必要とし「ＹＥＳ」となり、図１に示す録画実行制御部６７に制御されてＥ−５に示すチャンネル切り替えが実施される。
【００４３】
続いて、Ｅ−６により、チャプターの作成と予約録画プログラムの切り替わり位置の記録がなされる。この時点では第１プログラムが終了した段階で後続する第３プログラムの録画開始位置Ｔをマーキング処理部がマーキングすると共にマーキング個数Ｓ＝１の両方を第２メモリ部７０及び又は記録媒体５０に記録する。次に、予約録画プログラムの重複数が算出される。図８に示すＳ−６においてｎ＝２であったが、Ｅ−７におけるｎ＝（ｎ）−１の算出式によるとｎ＝（２）−１＝１となり図１に示す第２メモリ部７０に記憶され、前記予約録画を開始時、予約録画設定時に第２メモリ部７０に記憶した重複フラグと調複数ｎのデータを読み込み、録画を開始する。重複フラグがＯＮしている場合、第１のプログラム実行が録画終了時間となり、重複した第３のプログラムの録画に切り替わるとき、録画終了処理は行なわず、録画開始時に第２メモリ部７０から読み込んだ重複数ｎでプログラムとの重複数も判断し、連続して後続する第３プログラムの録画を開始する。Ｅ−８により後続する第３プログラムの録画が開始される。続いて、Ｅ−９により前記第３プログラムの録画が終了するとＥ−２に戻り第３プログラムの録画終了時刻と同時に切り替わる第２プログラムの録画をＥ−９まで繰り返し、Ｅ−２からＥ−９を連続して後続する予約録画プログラムがなくなるまで繰り返す。
【００４４】
もしも、Ｅ−２において、重複している予約録画プログラムの数が０となり「ＮＯ」と判断されるか、又は、Ｅ−３において後続する予約録画プログラムがなく「ＮＯ」と判断されると、Ｅ−１０により録画を終了した予約録画プログラムのマーキング個数であるＳがＳ>０であるか否かが判断される。Ｓ＝１で「ＹＥＳ」であれば続いてＥ−１１によりＶＲモードであるか否かが判断されて「ＹＥＳ」であればＥ−１２により録画プログラムの切り替わりでＴＩＴＬＥが分割される。前記ＶＲモード時はこのように録画終了時にＴＩＴＬＥを作成することができる。続いてＥ−１３では既に録画を終了し、ＴＩＴＬＥを作成した予約録画プログラムはマーキング地点の処理が終了されているので、Ｓ＝Ｓ−１となり、Ｅ−１０において他にマーキング地点の処理がされていない録画プログラムが無ければ「ＮＯ」と判断されてＥ−１４で終了する。また、Ｅ−１１においてもＶＲモードで無いとして「ＮＯ」と判断されたときもＥ−１４で録画を終了する。また、Ｅ−３において現在の時刻が他の予約録画プログラムにおける録画設定時刻と重複していなければ「ＮＯ」と判断されてＥ−１０からＥ−１４によりＴＩＴＬＥの作成と記録を行なって予約録画動作は終了する。
【００４５】
以上のように本実施例によれば、本発明のタイマー予約録画手段を備えた電子装置であるＤＶＤ録画再生装置を内蔵したテレビ１０は、テレビ放送の受信信号を映像音声信号に変換するチューナー３０と、前記映像音声信号を録画可能なデジタル映像音声信号に変換する映像音声処理部４０と、前記映像音声処理部４０を制御すると共にタイマー予約録画動作を制御するマイコン部６０と、前記マイコン部６０における予約録画プログラムを記憶するマイコン部６０内の第１メモリ部６８と、前記予約録画プログラムの制御情報を記憶する第２メモリ部７０と、前記デジタル映像音声信号を録画して記録する記録媒体５０を備えると共にユーザーによる指示を前記マイコン部６０に伝達するリモコン９０と、前記リモコン９０のキー操作により入力された指示信号を受光するリモコン受光部８０とを備え、前記記録媒体５０に録画を行うＤＶＤ録画再生装置を内蔵したテレビ１０において、前記マイコン部６０に配置された、キー入力処理部６１が前記リモコン９０から受光した指示信号を処理し、予約設定部６２がキー入力された予約録画プログラム１００を設定し、前記複数の予約録画プログラム１００において録画時間帯が重複しているか否かを予約録画重複検出部６３が検出して判断し、前記重複数カウント部６４が前記予約録画プログラム１００の重複部分１０４の数ｎ又は、重複している予約録画プログラムの数をカウントし、前記計時部６６がクロック回路を備えて現在時刻並びに少なくとも予約録画プログラム１００における録画開始時刻１０１と録画終了時刻１０２及び重複開始時１０１刻と重複終了時刻１０３とを監視し、マーキング処理部６５が前記重複フラグＦに対応して重複した予約録画プログラム１００の切り替え時刻である後続の録画開始位置Ｔをマーキングし、前記録画実行制御部６７が前記予約録画プログラム１００を前記マイコン部６０内の第１メモリ部６８と、前記予約録画プログラムの制御情報である前記重複フラグと重複数及びマーキングを第２メモリ部７０に記憶させると共に、前記録画実行制御部６７が前記計時部６６の時刻情報をもとに予約録画プログラム１００の実行制御を行ない、前記マーキング箇所Ｔを重複プログラムの切り替え箇所Ｔとして録画を切り替えることにより、前記複数の予約録画プログラム１００が重複してしまうことが生じても、重複する前記予約録画プログラム１００において録画を先行する予約録画プログラム１００の録画終了時に該予約録画プログラム１００の録画終了処理１０９を行なわず、前記マーキング箇所Ｔで後続の予約録画プログラム１００に連続して切り替えて録画を開始し、重複する最後の後続予約録画プログラム１００の録画終了時刻１０２に前記重複した複数の予約録画プログラム１００の録画終了処理１０８を行なうように前記録画実行制御部６７で制御を行なうことができるので、前記重複する予約録画プログラム１００が切り替わるときに要する録画終了処理１０９の処理時間は後続の前記予約録画プログラム１００の録画終了時に実行、又は先送りすることが可能となり、録画時間の重複する部分が連続して複数箇所に生じても迅速に後続する新規番組に切り替えて録画を開始し、番組の切り替え時に必要な録画終了処理１０９による録画逃し時間を解消することを可能とすることが出来るので、前記録画終了処理１０９に要する時間分が後続の予約録画プログラム１００の録画開始時刻１０１から欠けてしまうことを防止することが出来る。
【００４６】
更に、前記重複する予約録画プログラム１００には、前記予約録画プログラム１００の所要時間に前記録画終了処理時間１０９が付加されることにより録画時間帯が重複することにより、見かけでは連続して切り替わると思われる複数の予約録画プログラム１００の録画終了時刻１０２と録画開始時刻１０１が同時となった場合においても、従来においては個々の予約録画プログラム１００の録画終了時刻１０２に録画終了処理１０９を行なう必要があったため、後続する予約録画プログラム１００の録画開始部分が欠けてしまうといった問題は、前記録画実行制御部６７により録画終了処理１０９を先送りして、重複がなくなった最後の予約録画プログラム１００の録画終了時１０２に纏めて録画終了処理１０８を行うことができるので、ＤＶＤ録画装置又はＤＶＤ録画再生装置、及びこれらを内蔵したテレビなどの電子装置に複数の録画予約を行なうに際して、録画時間の重複する部分が生じても迅速に後続する新規番組に切り替えて録画を開始するので、番組の切り替え時に必要な録画終了処理１０８による録画逃しを解消し、録画の途切れも無く、スムーズに録画チャンネルの切り替えが可能なのでユーザーの不快感を減らすことが出来る。また、先行する予約録画プログラム１００の後に後続する予約録画プログラム１００が例えば有料放送であるＰＰＶであれば、たとえ１０秒から２０秒間でも予約録画の開始時刻１０１が予約時刻より遅れてしまうとＰＰＶである予約録画プログラム１００を開始することができない状況となるといった問題は回避することが出来る。
【００４７】
以上、本実施例を詳述したが、本発明は、前記実施例に限定されるものではなく、本発明の要旨の範囲内で種々の変形実施が可能である。例えば、複数の予約録画プログラムの録画又は録画再生が可能な電子装置は、録画機能付ＤＶＤ装置或いはＤＶＤ録画再生装置を内蔵したテレビ１０などの電子装置に限らず、ＨＤＤ装置などデジタル録画が可能な装置でよく、また、マイコン部６０において予約録画重複検出部６３と重複数カウント部６４、マーキング処理部６５などの機能区分はマイコン部６０の構成上の都合により変更されても必要な機能が活用可能な状態で設計のし易さや使い易さを配慮して変更するなど前記実施例に限定されるものではなく、適宜選定すればよい。
【図面の簡単な説明】
【００４８】
【図１】本発明の第一実施例を示すＤＶＤ録画再生装置を内蔵したテレビにおけるタイマー予約録画手段の概略の構成を示すブロック説明図である。
【図２】本発明におけるＤＶＤ録画再生装置を内蔵したテレビの外観を示す斜視説明図である。
【図３】本発明における予約録画プログラムが重複したときの録画終了処理を示すタイムチャート説明図である。
【図４】本発明における予約録画プログラム例を示すタイムチャート説明図である。
【図５】本発明におけるタイマー録画設定時の動作を示すフローチャート説明図である。
【図６】本発明におけるタイマー録画設定時の動作を示すフローチャート説明図である。
【図７】本発明におけるタイマー録画終了時の処理における動作を示すフローチャート説明図である。
【図８】本発明の第二実施例を示すタイマー録画設定時の動作を示すフローチャート説明図である。
【図９】本発明の第二実施例を示すタイマー録画終了時の動作を示すフローチャート説明図である。
【図１０】従来のタイマー予約録画にいて重複した予約録画プログラムの録画終了処理を示すタイムチャート説明図である。
【符号の説明】
【００４９】
１０        ＤＶＤ録画再生装置を内蔵したテレビ
２０        アンテナ
３０        チューナー
４０        映像音声処理部
５０        記録媒体
６０        マイコン部
６１        キー入力処理部
６２        予約設定部
６３        予約録画重複検出部
６４        重複数カウント部
６５        マーキング処理部
６６        計時部
６７        録画実行制御部
６８        第１メモリ部
７０        第２メモリ部
８０        リモコン受光部
９０        リモコン
【図１】
2006166054.tif 000003
【図２】
2006166054.tif 000004
【図３】
2006166054.tif 000005
【図４】
2006166054.tif 000006
【図５】
2006166054.tif 000007
【図６】
2006166054.tif 000008
【図７】
2006166054.tif 000009
【図８】
2006166054.tif 000010
【図９】
2006166054.tif 000011
【図１０】
2006166054.tif 000012